(57)【要約】  セキュリティ文書（１）を作製するための方法であって、上面（６）を有するベース層（２）を用意するステップと、着色インクを上面（６）に印刷することによって上面（６）の画像領域（Ａｉ）にカラー画像（３）を形成するステップとを含む方法において、上面（６）から所定距離に位置する焦点面（８）を有するレンズ構造体を、着色インクを覆うように付与され、レンズ構造体及び着色インクを通して黒色系画像をレーザ彫刻して、実質的に焦点面又はその付近に黒色系要素を形成することを特徴とする、方法に関する。【選択図】  図１Ｂ
2018512306.tif 000002
【特許請求の範囲】
【請求項１】
セキュリティ文書（１）を作製するための方法であって、
上面（６）を有するベース層（２）を用意するステップと、
カラー画像要素（３’、３’’、３’’’）を有する画像（３）を前記上面（６）の画像領域（Ａｉ）に形成するステップと、
前記画像領域（Ａｉ）を覆うように保護層（４）を軟質状態又は液体状態で設けるステップと、
パターン（５、２７）が形成されたインプリント部材（１６、２０）に前記保護層（４）を接触させることによって、前記保護層（４）が軟質状態又は液体状態にある間に前記画像領域（Ａｉ）における前記保護層（４）に前記パターンをインプリントするステップと、
前記保護層に光学的放射線を照射することによって前記保護層を硬化するステップと、
を含む、方法において、
前記パターン（５）が、１００μｍ未満の寸法を有する光学構造体を備え、
前記インプリント部材（１６、２０）が、透明且つ可撓性であり、
透明な前記インプリント部材が前記保護層に接触している間に該透明なインプリント部材に前記光学的放射線を透過させることによって、前記保護層（４）を硬化し、
前記保護層が少なくとも部分的に硬化した後に前記インプリント部材（１６、２０）を前記保護層（４）から除去し、
次いで、前記光学構造体を通してレーザビームを合焦させ、前記カラー画像要素から５０μｍ〜１５０μｍの間の垂直距離ｈに位置する焦点面（８）で前記ベース層内に画像要素をレーザ彫刻することによって、前記ベース層（２）内に黒色系パターン（７）を形成するステップを実行する
ことを特徴とする、方法。
【請求項２】
イエロー、マゼンタ及びシアンのような透明なカラー画像要素（３’、３’’、３’’’）を印刷することによって、前記画像（３）を前記画像領域（Ａｉ）に形成し、
前記光学構造体がレンチキュラーレンズのアレイ（２７）を備え、
前記レンチキュラーレンズ及び前記透明なカラー画像要素（３’、３’’、３’’’）を通るレーザビームによって、前記黒色系パターン（７）を前記ベース層内に形成する、請求項１に記載の方法。
【請求項３】
前記カラー画像要素（３’〜３’’’）が、４００ｎｍ〜７００ｎｍの間の波長範囲内で少なくとも５０％の平均透過率を有する、請求項２に記載の方法。
【請求項４】
前記カラー画像要素（３’〜３’’’）が、レーザビームの波長において、少なくとも５０％、好ましくは少なくとも８０％の透過率を有する、請求項３に記載の方法。
【請求項５】
前記カラー要素（３’〜３’’’）が連続的であり又は一部が重なり合っている、請求項１〜４のいずれか一項に記載の方法。
【請求項６】
前記インプリント部材（１６、２０）を除去した後、前記レーザ（２９、４０）を備えたパーソナライゼーションステーション（２５）に前記ベース層（２）を移送し、
該パーソナライゼーションステーション（２５）にて、パーソナライゼーションの後、前記光学構造体を通してデータを前記ベース層内に形成する、請求項１〜５のいずれか一項に記載の方法。
【請求項７】
メモリ（３３）を有する印刷コントローラ（３４）が画像アプリケータ（３５）に接続され、
画像データを前記メモリ（３３）に格納し、前記印刷コントローラに接続された前記画像アプリケータにより前記ベース層（２）上にインク層を設け、次いでレーザコントローラ（３８）に接続されたレーザビーム（２９、４０）で前記画像領域（Ａｉ）を走査することによって、前記画像を形成し、
前記レーザコントローラ（３８）が、レンズのアレイを通して前記ベース層（２）内に画像要素を焼付けるために前記メモリ（３３）から画像データを取得する、請求項１〜６のいずれか一項に記載の方法。
【請求項８】
前記保護層は、前記画像領域より寸法が大きく、好ましくは前記ベース層（２）全体を実質的に被覆する、請求項１〜７のいずれか一項に記載の方法。
【請求項９】
セキュリティ文書（１）を作製するための方法であって、
光学パターン（３１）を有するプラスチック製の基板（３０）を用意し、前記基板（３０）をパーソナライゼーションサイトに移送するステップと、
顔写真（３２）の画像データを、画像アプリケータ（３５）に接続された印刷コントローラ（３４）のメモリ（３３）に提供するステップと、
前記印刷コントローラに接続された前記画像アプリケータにより、画像領域（Ａｉ）内の前記基板（３０）上にカラー画像要素のインク層を設けることによって、画像を形成するステップと、
前記基板（３０）を覆うように保護層（４）を液体状態又は軟質状態で塗工するステップと、
前記保護層（４）が液体状態又は軟質状態にある間に、前記保護層を、パターンが設けられた透明且つ可撓性のインプリント部材（１６、２０）に接触させることによって、前記画像領域（Ａｉ）内の前記画像を覆う前記保護層にレンズパターン（５，２７）をインプリントするステップと、
前記透明なインプリント部材（１６、２０）が前記保護層（４）に接触している間に該インプリント部材に光学的放射線を透過させることによって前記保護層を硬化させるステップと、
前記保護層の硬化後、前記インプリント部材（１６、２０）を前記保護層から除去するステップと、
レーザコントローラ（３８）と、前記レーザコントローラに接続されたレーザ（４０）とを用意するステップと、
前記顔写真の画像データを前記レーザコントローラ（３８）に提供するステップと、
前記レーザコントローラによりレンズ構造体全体にわたってレーザビームを走査し、レンズ要素の下の前記基板（３０）に、印刷された前記カラー画像要素（３’〜３’’’）を通してその下側にある層内に、前記カラー画像要素から５０μｍ〜１５０μｍの間の垂直距離ｈに位置する焦点面（８）で、前記画像データに基づいて黒色系画像要素（２６）を形成するステップと、
を含む方法。
【請求項１０】
前記インクのカラー画像要素は、４００ｎｍと７００ｎｍとの間の波長範囲内で少なくとも５０％の平均透過率を有する、請求項９に記載の方法。
【請求項１１】
インクからなる前記カラー画像要素（３’〜３’’’）が、前記レーザビームの波長において、少なくとも５０％、好ましくは少なくとも８０％の透過率を有する、請求項１０に記載の方法。
【請求項１２】
セキュリティ文書（１）を作製するための方法であって、
上面（６）を有するベース層（２）を用意するステップと、
４００ｎｍ〜７００ｎｍの間の波長範囲内で少なくとも５０％の平均透過率を有する、インクからなるカラー画像要素（３’〜３’’’）を、前記上面（６）に印刷することによって、前記上面（６）の画像領域（Ａｉ）にカラー画像（３）を形成するステップと、
を含む、方法において、
前記上面（６）から所定距離に位置する所定の焦点面（８）を有するレンズ構造体が、着色インクを覆うように付与され、
前記レンズ構造体及び前記カラー画像要素（３’〜３’’’）を通して黒色系画像要素（７）をレーザ彫刻して、実質的に前記焦点面又はその付近に前記黒色系画像要素を形成する
ことを特徴とする、方法。
【請求項１３】
前記焦点面（８）が、前記カラー画像要素から５０μｍ〜１５０μｍの間の垂直距離ｈに位置する、請求項１２に記載の方法。
【請求項１４】
前記カラー画像要素が、前記レーザビームの波長において、少なくとも５０％、好ましくは少なくとも８０％の透過率を有する、請求項１２又は１３に記載の方法。
【発明の詳細な説明】
【技術分野】
【０００１】
本発明は、セキュリティデバイスを作製する方法であって、
上面を有するベース層を用意するステップと、
カラー画像要素を有する画像を前記上面の画像領域に形成するステップと、
画像領域を覆うように保護層を軟質状態又は液体状態で設けるステップと、
パターンが形成されたインプリント部材に保護層を接触させることによって、保護層が軟質状態又は液体状態にある間に画像領域における保護層にパターンをインプリントするステップと、
保護層に光学的放射線を照射することによって保護層を硬化するステップと、
を含む、方法に関する。
【背景技術】
【０００２】
表面に印刷されたパスポート写真を有するセキュリティカードを、写真を剥がせないようにする保護層を形成する透明硬化性樹脂によって被覆することが知られている。硬化性樹脂は、インクジェット印刷によってセキュリティパターンの形状に塗工することができる。これらのパターンは、写真の上に重なってもよい。印刷後、樹脂は、ＵＶ光などの光学的放射線による照射によって硬化される。この既知の方法は、印刷されたセキュリティパターンが比較的粗く、１ｍｍ以上の範囲の寸法を有するという短所を有する。さらに、セキュリティデバイスの上側の上の写真の位置は、写真の改ざん又は取外しを試みるための手がかりのポイントを与えかねない段差のある表面を形成する。最後に、写真を覆う樹脂硬化性層を保護層として設けることは、写真に損傷を与えること又は権限のない改変を防ぐために、写真の付与の直後に保護層を塗工することを必要とする。
【０００３】
欧州特許第０  ２１９  ０１２号明細書には、特に図７に関連して、ベース層上に印刷によって着色ライン画像を設けたデータキャリヤについて記載されている。着色ライン画像を覆って、ベース層の上にカバー層が付与され、このカバー層内に円柱レンズのレンチキュラーアレイが形成される。レーザにより、印刷ライン画像間の空きスペース内に黒色系（ｂｌａｃｋｅｎｅｄ）ライン画像が差し込まれ、観察者に対してデータキャリヤを異なる角度に傾けることによって観察することができる、複数の相異なる「フリップ」画像を形成する。
【発明の概要】
【発明が解決しようとする課題】
【０００４】
本発明の目的は、改善されたセキュリティ特徴部を有するセキュリティ文書を作製する方法を提供することである。
【０００５】
本発明のさらなる目的は、明瞭に形成されたカラー顔写真画像を有するセキュリティ文書を作製する方法を提供することである。
【０００６】
本発明の別の目的は、カードの上面の下方に位置する保護層の下方に顔写真画像を有するセキュリティデバイスを作製する方法を提供することである。
【０００７】
本発明のさらなる目的は、ＩＤカード、銀行カード、クレジットカード、運転免許証又はパスポートのような、汎用セキュリティ特徴部を有するセキュリティデバイスを作製する方法であって、汎用セキュリティ特徴部を付与するサイトから離れた場所及び時間における画像の付与及びデバイスのパーソナライゼーションを可能にする方法を提供することである。
【課題を解決するための手段】
【０００８】
本発明による方法は、パターンが１００μｍ未満の寸法を有する光学構造体を備え、インプリント部材が、透明且つ可撓性である場合において、透明なインプリント部材が保護層に接触している間に該透明インプリント部材に光学的放射線を透過させることによって保護層を硬化し、保護層が少なくとも部分的に硬化した後にインプリント部材を保護層から除去し、次いで、光学構造体を通してレーザビームを合焦させ、カラー画像要素から５０μｍ〜１５０μｍの間の垂直距離ｈに位置する焦点面でベース層内に画像要素をレーザ彫刻（レーザエングレービング）することによって、ベース層内に黒色系パターンを形成するステップを実行することによって特徴づけられる。
【０００９】
可撓性且つ透明のインプリント部材を軟質状態又は液体状態の保護層と接触させて維持することによって、且つ、該インプリント部材を通して保護層に光学的放射線を照射することにより保護層を硬化することによって、可撓性インプリント部材を除去することで、明確に定められた小スケールの構造体が残されるのに十分な程度まで、保護層を硬化させることができる。このことにより、正確に形成されたレンズパターンを１００μｍ未満の正確に定められた寸法で画像領域内に形成することが可能になる。このレンズパターンを通して、ベース層の画像領域内にレーザ彫刻されたセキュリティ特徴部を付与することができ、その結果、セキュリティを強化することができる。
【００１０】
カラー画像要素はレンズの焦点面の外側に位置するので、カラー画像を異なる角度から観察したときに乱す「フリップ」効果は生じない。レンズを通してレーザ彫刻によって形成される黒色系パターンは、上を覆うカラー要素とは独立した、数字若しくは記号又は他の任意の適切なパターンなどのセキュリティ特徴部を画像領域内に形成することができる。これは、上側のカラー画像要素と下側の黒色系画像要素とで構成される合成画像の一部を形成するということもできる。
【００１１】
用語「黒色系（ｂｌａｃｋｅｎｅｄ）」は、本明細書で用いる場合、レーザビームによって材料内に発生した熱の影響下でプラスチック材料の色が濃くなることを意味しており、透明から黒色までにわたる範囲のグレースケール上の灰色の様々な濃淡を含む。
【００１２】
本発明による可撓性インプリント部材は、汎用セキュリティ特徴部をセキュリティデバイスに形成するサイトから離れたサイトで付与され得るので、パーソナライゼーションステップ、すなわち所持者の識別写真をセキュリティデバイス又は識別デバイスに印刷することと、画像の上にインプリントされたレンズ系を付与することと、インプリントされたレンズ系を通して画像領域内でレーザ彫刻することによってセキュリティデバイス又は識別デバイスを完成させることとを含むステップを実行することができる。
【００１３】
基板コンフォーマル型インプリントリソグラフィ（Ｓｕｂｓｔｒａｔｅ  Ｃｏｎｆｏｒｍａｌ  Ｉｍｐｒｉｎｔ  Ｌｉｔｈｏｇｒａｐｈｙ）（ＳＣＩＬ）は、剛性を有するガラスキャリヤによって支持された軟質の複合ワーキングスタンプを用いて、シリコン基板上の大面積のパターン付けを可能とする既知技術である。スタンプとガラスキャリヤとの間の真空により、パターン付けされたスタンプを連続的にフォトレジスト層に接触させることができる。フォトレジスト層をこれに透明なスタンプを通して光を当てることによって硬化させた後、スタンプを基板から連続的に取り外して、１００ｎｍ未満の寸法の明確に定められた構造体を残すことができる。
【００１４】
平行プレート式インプリントマシンを用いてフレネル帯板を製造することができることが、Ｍｉｎｇａｔｏ  Ｌｉ，  ｅｔ  ａｌ．，  Ｆａｂｒｉｃａｔｉｏｎ  ｏｆ  ｃｉｒｃｕｌａｒ  ｏｐｔｉｃａｌ  ｓｔｒｕｃｔｕｒｅｓ  ｗｉｔｈ  ａ  ２０  ｎｍ  ｍｉｎｉｍｕｍ  ｓｉｚｅ  ｕｓｉｎｇ  ｎａｎｏ−ｉｍｐｒｉｎｔ  ｌｉｔｈｏｇｒａｐｈｙ，  Ａｐｐｌｉｅｄ  ｐｈｙｓｉｃｓ  ｌｅｔｔｅｒｓ，  ｖｏｌｕｍｅ  ７６，  ｎｕｍｂｅｒ  ６  ｐａｇｅ  ６７３−６７５に記載されている。
【００１５】
国際公開第２００９／０７８８８１号は、規則性のあるパターンのサブ特徴部を有するインプリントリソグラフィスタンプを記載しており、このスタンプは、シリコン又はポリマー材料製である。
【００１６】
しかしながら、セキュリティデバイス上の画像領域内のカラー画像要素を覆うレンズ系を製造するためのインプリント技術の使用と、その後の、カラー画像要素から所定の垂直距離に位置する焦点面でのレーザ彫刻は、上記開示からは決して自明のものではない。
【００１７】
本発明による方法の一実施形態においては、イエロー、マゼンタ及びシアンなどの透明なカラー画像要素を印刷することによって、画像を画像領域に形成し、光学構造体がレンチキュラーレンズのアレイを備えている場合に、レンチキュラーレンズ及び透明なカラー画像要素を通して、黒色系パターンをレーザビームによってベース層内に形成する。
【００１８】
インクジェット印刷などの印刷技術により、カラー顔写真が着色パターンによって形成され、これは、透明なシアン、イエロー及びマゼンタインクの一部重なり合った画素（例えば液滴）から構築することができる。カラー顔写真を覆って付与されたレンチキュラーレンズにより、レーザは、透明インクを通してベース層（ポリカーボネートなど）内でポリマー材料の黒化を引き起こすことができ、このようにして、各々整合するカラー画素を完成させる黒色系画素を形成する。
【００１９】
印刷されたカラー画像要素は、好ましくは、４００ｎｍ〜７００ｎｍの間の波長範囲内で少なくとも５０％の平均透過率を有する。本発明によるインクは、可視光に対して少なくとも５０％の透明度を有するので、その下側にある黒色系画素を、インクを通してはっきりと見ることができる。印刷された画素は、レンチキュラーレンズの焦点から所定距離に位置するので、レンズ系は、着色画像の見え方に影響を及ぼさないようになっている。
【００２０】
黒色系画素は、カラー画像要素を通して放射するように且つ下に重なる層内のレンズの焦点において黒化を引き起こすようにレンチキュラーレンズによって合焦されたレーザによって形成することができ、この層は、例えばレーザ感受性のポリカーボネートによって形成することができる。好ましくは、カラー画像要素は、レーザビームの波長において、少なくとも５０％、好ましくは少なくとも８０％の透過率を有するので、インクは、インク内のレーザビームのエネルギー堆積によって劣化しない。
【００２１】
本発明による方法は、選択した場所及び時間におけるセキュアなカラー顔写真の付与を可能にし、一方で、顔写真は、少なくとも部分的に、セキュリティデバイスの上面の下のポリマー材料内に付与される。
【００２２】
好ましくは、メモリを有する印刷コントローラが画像アプリケータに接続されている場合において、コントローラのメモリに画像データを格納すること、コントローラに接続された画像アプリケータにより最上層にインク層を設けること、次いでレーザコントローラに接続されたレーザビームでセキュリティエリアを走査することによって、画像を形成し、レーザコントローラは、レンズアレイを通して基板内に画像要素を焼付けるためにメモリから画像データを取得する。このようにして、小さい角度を通して互いに対して回転した２以上の異なる画像を、欧州特許第２  ５５３  ５１７号明細書に記載されているような顔写真の三次元的な印象をもたらすように、相互に組み合わされた線画像として円柱レンズの下に付与することが可能である。あるいは、互いに対して回転した２以上の画像を、欧州特許第１  ８７４  ５５７号明細書に記載されているように２つの画像をそれぞれの眼で同時に見たときに立体視効果をもたらすように、互いに組み合わされた線画像としてレンズの下に付与することができる。
【００２３】
好ましくは、カラー要素は、連続的であり又は一部が重なり合っており、そのため完全な画像領域Ａｉがカラー画像要素で被覆され、高解像度のカラー画像が形成されるようになっている。
【００２４】
本発明は、さらに、セキュリティデバイスを作製する方法であって、
光学パターンを有するプラスチック基板を用意するステップと、
基板をパーソナライゼーションサイトに移送するステップと、
顔写真の画像データを、画像アプリケータに接続された印刷コントローラのメモリに提供するステップと、
コントローラに接続された画像アプリケータにより、基板上にカラー画像要素のインク層を設けることによって、画像を形成するステップと、
基板を覆うように保護層を液体状態又は軟質状態で塗工するステップと、
保護層を、パターンが設けられた透明且つ可撓性のインプリント部材に接触させることによって、保護層が液体状態又は軟質化状態にある間に画像領域内の保護層内にレンズパターンをインプリントするステップと、
透明なインプリント部材が保護層に接触している間に該インプリント部材に光学的放射線を透過させることによって該層を硬化するステップと、
保護層の硬化の後、インプリント部材を保護層から除去するステップと、
レーザコントローラと、該レーザコントローラに接続されたレーザとを用意するステップと、
顔写真の画像データをレーザコントローラに提供するステップと、
レーザコントローラによってレーザビームでレンズ構造体全体にわたって走査し、レンズ要素の下の基板内に、印刷されたカラー画像要素を通してその下側にある層内に、カラー画像要素から５０μｍ〜１５０μｍの間の垂直距離ｈに位置する焦点面で、画像データに基づいて黒色系画像要素を形成するステップと、
を含む方法に関する。
【００２５】
インプリント技術はレンズ構造体を設けるための好ましい方式であるが、エンボス加工、真空成形、フライス削り又は３Ｄ印刷技術といった他の手段によってレンズ構造体を形成することもまた可能である。本発明は、２つの異なる画像形成技術を異なる平面内で組み合わせることができること、及びレーザ感受性層の上に重なる透明インクを通してレーザ彫刻を好適に実行することができること、という識見に基づくものである。インク層は、その上に付与されたレンズ構造体の焦点面の外部にあるので、観察者は着色インクパターンを適正に観察することができ、その一方で、下に重なる黒色系像は、レンズ系の焦点面又はその付近に位置しており、黒色系層の上に重なる透明インクを通してはっきりと見ることができる。それゆえ、本発明によるセキュリティ文書を作製する方法の実施形態は、
上面を有するベース層を用意するステップと、
４００ｎｍ〜７００ｎｍの間の波長範囲内で少なくとも５０％の平均透過率を有するインクの着色画像要素を上面に印刷することによって、上面の画像領域（Ａｉ）にカラー画像を形成するステップと、
を含み、
着色インクを覆うように、上面から所定距離に位置する所定の焦点面を有するレンズ構造体が付与され、
レンズ構造体及び着色インクを通して黒色系画像をレーザ彫刻して、実質的に焦点面又はその付近に黒色系画像要素を形成する、
ことを特徴とする。
【００２６】
本発明による方法のいくつかの実施形態は、添付の図面を参照して、非限定的な例によって詳細に説明される。
【図面の簡単な説明】
【００２７】
【図１Ａ】カラー画像要素が互いに離間している、本発明によるセキュリティカードの略断面図を示す。
【図１Ｂ】カラー画像要素が連続的である、本発明によるセキュリティカードの略断面図を示す。
【図１Ｃ】カラー画像要素が互いに一部重なり合っている、本発明によるセキュリティカードの略断面図を示す。
【図２】インプリントベルトを用いてセキュリティ文書上に光学パターンを設ける概略のプロセスを示す図である。
【図３Ａ】リジッド（曲がらない）型のスタンプインプリント部材を示す図である。
【図３Ｂ】ヒンジ式のスタンプインプリント部材を示す図である。
【図３Ｃ】ヒンジ式のスタンプインプリント部材を示す図である。
【図４】セキュリティデバイスを形成するためのプロセスのプロセスステップを示す図である。
【図５】インプリントによりレンズ要素のアレイを形成し、次いでレンズ要素を通してレーザ彫刻するプロセスを示す図である。
【図６】異なる場所でのセキュリティデバイスの製造及びパーソナライゼーションのステップを示す図である。
【図７】本発明で使用するための６種類の異なるインクの吸収スペクトルを示す図である。
【発明を実施するための形態】
【００２８】
図１Ａは、識別カードや銀行、クレジットカード、運転免許証などのようなセキュリティデバイス１を示す。デバイス１は、カードのような形状を有していてもよく、複数のページを有し、プラスチック製の所有者ページを含む冊子の形態としてもよい。セキュリティカード１は、例えばＰＶＣ、ポリカーボネート、ＰＥＴ又はそれらの組合せで作られたベース層２を含み、これは、その上面６に、所持者の顔写真などの画像３を伴う画像領域Ａｉを有する。画像３は、インクジェット印刷、ＣＭＹの写真印刷によって又は転写プロセスを経て設けることができるカラー画像要素３’、３’’、３’’’で形成され、透明保護層４で被覆されている。層４は、ＵＶ光の照射によって硬化することができるウレタンアクリレートなどの樹脂で構成することができる。ベース層２の画像領域Ａｉにおいて、レンズパターン５が保護層４に設けられている。レンズは、例えば１００μｍの直径ｄ及び例えば約２００μｍの焦点距離ｆを有し得る。レーザにより、黒色系画素７が焦点面８でベース層２に設けられている。
【００２９】
印刷された画像３は、図１Ａに示すように、互いに離間したカラー画像要素３’〜３’’’で構成することができ、そこに沿ってレーザビーム９が層４を通過することができる。あるいは、カラー画像３は、図１Ｂに示すように、レーザビーム９がそこを通過する連続パターン３’〜３’’’で形成してもよく、又は、図１Ｃに示すように、焦点面８からの距離ｈが例えば５０μｍ〜１５０μｍのところに位置する、カラー液滴のような透明なＣ成分、Ｍ成分及びＹ成分からなる一部重なり合ったカラー画像要素３’〜３’’’のパターンで形成してもよい。
【００３０】
黒色系画素７は、画像層３のインクを透過するレーザビーム９によって形成され、透明な画像層３を通して見ることができる。驚くべきことに、鮮明に形成された合成カラー画像を得ることができ、その中で黒色系画素７は、明確に定められたグレースケールでカラー画像３を通して見ることができる。
【００３１】
ベース層２のセキュリティ領域Ａｓにおいて、パターン５’を保護層４に設けることができる。パターン５’は、反射パターン、彩紋模様（ｇｕｉｌｌｏｃｈｅ：ギロッシュ）のようなセキュリティ構造で形成してもよいが、レンズ構造体によって形成してもよい。パターン５’は、正又は負（すなわち、保護層４の表面より上又は下）、光沢又はつや消しパターン、コーナーキューブなどであってもよい。パターン５、５’は、１００μｍ未満の寸法ｄ、例えば８０μｍの寸法ｄを有する小スケールのパターンである。パターン５、５’は、保護層４が軟質状態のときにこれを、可撓性を有し透明な、例えばＤｏｗ  ＣｏｒｎｉｎｇからＳｙｌｇａｒｄ  １８４の商品名で入手可能であるようなシリコーンゴム製のインプリント部材と接触させることによって形成される。インプリント部材は、保護層４がその液体状態又は軟質状態にある間に該保護層に接触させ、ＵＶ光がインプリント部材を通して保護層４に照射されてこの層が（少なくとも部分的に）硬化されるまでの間、接触したままにしておく。保護層４の硬化の後、インプリント部材は除去される。
【００３２】
画像領域Ａｉを覆うパターン５は、本願出願人名義の米国特許出願番号第２０１１／０１４９４０５号明細書又は米国特許第４，７６５，６５６号明細書に詳細に説明されているように、円柱レンズのアレイによって形成される。
【００３３】
図２には、印刷ステーション１０と、樹脂塗工ステーション１１と、インプリントステーション１２と、例えばレーザ彫刻ステーションからなる加工ステーション１３とを含む複数の加工ステーションが示されている。印刷ステーション１０において、写真１４がインクジェット印刷によってベース層に付与される。次に塗工ステーション１１において、硬化性樹脂１５の層が塗工され、これはインプリントステーション１２において少なくとも画像領域Ａｉ全体にわたって広げられる。インプリントステーション１２は、軟質又は液体の樹脂１５に接触するインプリント面を有する、少なくとも部分的にＵＶ透過性であるベルト１６を備える。光源１７は、ベルト１６を通して樹脂層１５内にＵＶ光を照射し、樹脂層は、照射の結果として硬化する。硬化後、ベルト１６が取り除かれ、印刷された写真１４を伴うベース層２と、画像領域Ａｉ内及び／又はセキュリティ領域内で被覆された硬化した樹脂層１５に光学レンズパターンが設けられる。
【００３４】
図３Ａにおいて、図２の回転式ベルト１６の代替として、垂直可動式スタンプインプリント部材２０を示す。このインプリント部材２０は、ホルダ２１を備え、これは例えば金属製であり、その中に光源２２が取り付けられている。例えばシリコーンゴム製の透明な可撓性のインプリント面２３が容易に交換可能な方式でホルダ２１に接続されており、摩耗したとき又は異なるインプリントパターンが所望されるときにこれを取り換えることができるようになっている。
【００３５】
図３Ｂにおいて、液体保護層４に接触する前及び接触中のヒンジ式インプリント部材２０を示す。この実施形態において、可撓性のインプリント面２３は、ヒンジ点２４、２４’において中央部材２１に接続されたヒンジ式アーム１９、１９’の間に取り付けられている。液体の保護層４に下向きに押し付けられると、インプリント面２３は、層４上で延びて接し、正確に定められたレンズパターンを形成することができるようになっている。アーム１９、１９’は、層４をＵＶ光源２２から遮らないように取り付けるべきであり、又はＵＶ透過性材料で構築すべきである。
【００３６】
図４は、図２のステーション１０〜１２をレーザ彫刻ステーション２５と組み合わせて概略的に示したものである。これは、画像又はパターン、数字などの複数の汎用セキュリティ特徴部を備えたセキュリティカード又は文書を１つのサイトで製造し、別の場所でパーソナライゼーション特徴部を付与すること、例えば写真印刷ステーション１０において画像を付与することを可能にする。塗工ステーション１１において画像領域及びセキュリティ領域を樹脂で被覆し、ステーション１２においてセキュリティ領域内にレンズ構造体をインプリントした後、レーザ彫刻ステーション１３は、画像データを利用して、ステーション１２で設けたレンズ構造体を通して画像領域Ａｉの位置においてレーザ彫刻された画像をセキュリティデバイスのベース層内に設けることができる。このようにして、カラー画像を黒色レーザ彫刻画像によって完成させることができ、それは、検査者がレンズ構造体を通して見ることができる組合せ状態となる。
【００３７】
図５は、インプリントステーション１２及びレーザ彫刻ステーション２５を示し、インプリントステーション１２において、円柱レンズ２７のレンチキュラーアレイが、（例えばポリカーボネート層の上を被覆する樹脂製の）ベース層を被覆する最上層２８に付与される。レーザ彫刻ステーション２５において、レーザ２９は、レーザビームをレンズ部材４１及び円柱レンズ２７を介してポリカーボネート層２８内に合焦して、黒色系画像領域２６を形成する。
【００３８】
図６では、Ｉにおいて、汎用セキュリティ情報３１を有するセキュリティカード３０が示されている。セキュリティカード３０は、ＩＩにおいて、写真印刷ステーション１０に配置される。写真印刷ステーション１０において、画像データが印刷コントローラ３４のメモリ３３に読み込まれ、顔写真の画像３２がカード３０上に印刷されるようにプリンタヘッド３５を駆動する。ＩＩＩにおいて、アプリケータ３６は、画像３２を被覆して、画像領域全体にわたって、及び随意にカード３０のセキュリティ領域全体にわたって、樹脂を塗工する。インプリントステーション１２内で、インプリント部材３７が画像領域Ａｉに接触して、画像領域内にレンズ要素のアレイを形成する。最後に、Ｖにおいて、カード３０はレーザ彫刻ステーション２５に配置され、ここで画像データがレーザコントローラ３８のメモリ３９に提供され、レーザ４０は、カード３０全体にわたって走査して、画像領域Ａｓ内でレンズの下のカード材料内に黒色系画像要素を形成し、例えば、欧州特許第１  ８７４  ５５７号明細書に記載されているような三次元画像であることが好ましいフルカラーの顔写真を形成する。
【００３９】
図７は、本発明によるカラー画像要素３、３’’、３’’’を形成するのに適した６種類のインクの透過率を示す。インク１０、１１、１２は、Ａｇｆａから入手可能なＵＶ硬化性インクジェットインクのイエロー、マゼンタ及びシアンであり、インク１３、１４、１５は、それぞれ出願人が提供したＵＶ硬化性インクＹ６１、インクＭ４４及びインクＣ４５のイエロー、マゼンタ及びシアンであった。インクを２１５μｍの透明ポリカーボネートキャリヤ箔上に４μｍ層で均一に塗工した。インク１０、１１、１２について、４００ｎｍ〜７００ｎｍの可視光の範囲の波長における平均透過率は、それぞれ６９％、６６％及び５１％である。この例では１０６４ｎｍであるレーザ９の波長において、すべてのインク１０〜１５の透過率は、８８％と９１％との間である。
【図１Ａ】
2018512306.tif 000003
【図１Ｂ】
2018512306.tif 000004
【図１Ｃ】
2018512306.tif 000005
【図２】
2018512306.tif 000006
【図３Ａ】
2018512306.tif 000007
【図３Ｂ】
2018512306.tif 000008
【図３Ｃ】
2018512306.tif 000009
【図４】
2018512306.tif 000010
【図５】
2018512306.tif 000011
【図６】
2018512306.tif 000012
【図７】
2018512306.tif 000013
【国際調査報告】
2018512306.tif 000014
2018512306.tif 000015